(57)【要約】【課題】携帯情報端末において、表示部の状態が変更された場合の表示内容を適切に変更する。【解決手段】メイン表示部が縦長状態から横長状態へと変更された場合、メイン表示部に表示するために抽出される表示領域は、その左上端の点（点Ｐ１）が共通するよう変更される。つまり、変更前の表示領域１１１と変更後の表示領域１１２とでは、仮想画面上で、表示領域１１１の左上端の点と表示領域１１２の左上端の点とが一致する。また、メイン表示部が横長状態から縦長状態へと変更された場合、メイン表示部に表示するために抽出される表示領域は、その左上端の点（点Ｐ２）が共通するよう変更される。つまり、変更前の表示領域１１１と変更後の表示領域１１２とでは、仮想画面上で、表示領域１１１の左上端の点と表示領域１１２の左上端の点とが一致する。【選択図】図１９
2008118286.tif 000002
【特許請求の範囲】
【請求項１】
表示手段と、
前記表示手段を、第１の状態および前記第１の状態とは異なる第２の状態となるように支持する支持手段と、
前記表示手段の状態を検出する検出手段と、
仮想画面を生成する生成手段と、
前記仮想画面から前記表示手段の表示領域に応じた範囲の画像データを抽出する抽出手段とを含み、
前記抽出手段は、前記検出手段が前記表示手段の状態が前記第１の状態と前記第２の状態の一方から他方へ変更されたことを検出した場合に、状態変更前の範囲に基づいて、状態変更後の前記表示手段の表示領域に応じた画像データの抽出範囲を決定する、携帯情報端末。
【請求項２】
前記抽出手段は、状態変更前の前記表示領域における特定の位置に表示されていた画像データを、状態変更後の前記表示領域における前記特定の位置に表示させるように、前記抽出範囲を決定する、請求項１に記載の携帯情報端末。
【請求項３】
前記特定の位置は前記表示領域の左上端である、請求項２に記載の携帯情報端末。
【請求項４】
前記特定の位置は前記表示領域の上下方向および左右方向の中央である、請求項２に記載の携帯情報端末。
【請求項５】
前記支持手段は、前記表示手段を回転可能に支持し、
前記表示手段は、一定の角度回転されることにより、前記第１の状態と前記第２の状態の間で状態を入れ替わり、
前記抽出手段は、前記仮想画面から、状態変更前の前記表示領域に対応した範囲の、当該表示領域の所定の位置に表示された画像データの前記仮想画面上の位置を中心として前記一定の角度回転移動後の範囲を、状態変更後の前記表示領域に応じて抽出する画像データの範囲に決定する、請求項１に記載の携帯情報端末。
【請求項６】
前記所定の位置は、前記表示領域においてフォーカスをあてられて表示されている領域の中心位置である、請求項５に記載の携帯情報端末。
【請求項７】
前記抽出手段は、
前記所定の位置が前記表示手段の表示領域の上半分の領域に位置する場合には、状態変更前の前記表示領域に対応した範囲を前記一定の角度だけ反時計方向に回転移動させた後の範囲を、状態変更後の前記表示領域に応じて抽出する画像データの範囲に決定し、
前記所定の位置が前記表示手段の表示領域の下半分の領域に位置する場合には、状態変更前の前記表示領域に対応した範囲を前記一定の角度だけ時計方向に回転移動させた後の範囲を、状態変更後の前記表示領域に応じて抽出する画像データの範囲に決定する、請求項５または請求項６に記載の携帯情報端末。
【請求項８】
表示手段が第１の状態および前記第１の状態とは異なる第２の状態となるように支持されている携帯情報端末の制御方法であって、
仮想画面を生成するステップと、
前記表示手段の状態を検出するステップと、
前記表示手段の状態が前記第１の状態と前記第２の状態の一方から他方へ変更されたことを検出した場合に、状態変更前の前記表示手段の表示領域に対応して前記仮想画面から抽出されていた画像データの範囲に基づいて、状態変更後の前記表示領域に応じて前記仮
想画面から抽出する画像データの範囲を決定するステップとを含む、携帯情報端末の制御方法。
【発明の詳細な説明】
【技術分野】
【０００１】
本発明は、携帯情報端末およびその制御方法に関し、特に、表示手段の状態の変更に応じて当該表示手段における表示内容を変更する携帯情報端末およびその制御方法に関する。
【背景技術】
【０００２】
従来から、携帯電話機等の携帯情報端末において、表示部を設けられた筐体を回転させることなどにより、当該表示部の状態が、縦長から横長へ、または、横長から縦長へ変更されるものがあった。
【０００３】
このような携帯情報端末に関し、たとえば特許文献１には、表示部の縦長状態および横長状態における表示態様について開示がなされている。この内容を、図２５を参照して説明する。
【０００４】
図２５を参照して、（Ａ）に示される横長の画像９００が携帯情報端末の表示部で表示される場合、（Ｂ）に示されるように、筐体９０１に設けられた表示部９０２が縦長状態にあるときには、画像９００は、表示部９０２の横方向の寸法に合うように縮小されて表示されるか、または、（Ｃ）に示されるように、そのままのサイズで、画像９００の中心が表示部９０２の中心と一致するように左右をカットされて表示される。なお、（Ｄ）に示されるように、表示部９０２が横長状態にあるときには、画像９００は、表示部９０２にそのままの状態で表示される。
【０００５】
また、従来の携帯情報端末では、図２６に示されるように、表示部が縦長状態にあるときに、仮想画面９０５から縦長状態に対応して縦長の長方形形状を有する領域９０６にある画像データが切り出されて表示部が画像を表示している場合であって、当該表示部が横長状態へと状態を変更された場合、仮想画面９０５から切り出される画像データは、領域９０６から、横長状態に対応した横長の長方形形状を有する領域９０７へと変更されるものもあった。
【０００６】
なお、このような携帯情報端末では、表示部の状態の変更に伴って、仮想画面９０５から切り出される領域の形状が（縦長から横長に）変更されるとともに、仮想画面９０５から切り出される領域の基準位置（領域の左上端の座標）が仮想画面９０５の左上端に一致するように変更される。
【特許文献１】特開２００４−３５６９７５号公報
【発明の開示】
【発明が解決しようとする課題】
【０００７】
以上説明したように、従来の技術では、表示部の状態が変更された場合、たとえば図２５（Ｂ）や図２５（Ｃ）に示したように表示部の表示領域全体を有効利用できなくなったり、図２６に示したように仮想画面９０５上の表示対象となる場所が表示部の状態の変更の前後で大きく変化してしまったりしたため、検討を必要とされる種々の課題があった。
【０００８】
本発明は係る実情に鑑み考え出されたものであり、その目的は、表示部の状態が変更された場合に、表示部の表示内容を適切に変更することができる携帯情報端末およびその制御方法を提供することである。
【課題を解決するための手段】
【０００９】
本発明に従った携帯情報端末は、表示手段と、前記表示手段を、第１の状態および前記第１の状態とは異なる第２の状態となるように支持する支持手段と、前記表示手段の状態を検出する検出手段と、仮想画面を生成する生成手段と、前記仮想画面から前記表示手段の表示領域に応じた範囲の画像データを抽出する抽出手段とを含み、前記抽出手段は、前記検出手段が前記表示手段の状態が前記第１の状態と前記第２の状態の一方から他方へ変更されたことを検出した場合に、状態変更前の範囲に基づいて、状態変更後の前記表示手段の表示領域に応じた画像データの抽出範囲を決定することを特徴とする。
【００１０】
また、本発明に従った携帯情報端末では、前記抽出手段は、状態変更前の前記表示領域における特定の位置に表示されていた画像データを、状態変更後の前記表示領域における
前記特定の位置に表示させるように、前記抽出範囲を決定することが好ましい。
【００１１】
また、本発明に従った携帯情報端末では、前記特定の位置は前記表示領域の左上端であることが好ましい。
【００１２】
また、本発明に従った携帯情報端末では、前記特定の位置は前記表示領域の上下方向および左右方向の中央であることが好ましい。
【００１３】
また、本発明に従った携帯情報端末では、前記支持手段は、前記表示手段を回転可能に支持し、前記表示手段は、一定の角度回転されることにより、前記第１の状態と前記第２の状態の間で状態を入れ替わり、前記抽出手段は、前記仮想画面から、状態変更前の前記表示領域に対応した範囲の、当該表示領域の所定の位置に表示された画像データの前記仮想画面上の位置を中心として前記一定の角度回転移動後の範囲を、状態変更後の前記表示領域に応じて抽出する画像データの範囲に決定することが好ましい。
【００１４】
また、本発明に従った携帯情報端末では、前記所定の位置は、前記表示領域においてフォーカスをあてられて表示されている領域の中心位置であることが好ましい。
【００１５】
また、本発明に従った携帯情報端末では、前記抽出手段は、前記所定の位置が前記表示手段の表示領域の上半分の領域に位置する場合には、状態変更前の前記表示領域に対応した範囲を前記一定の角度だけ反時計方向に回転移動させた後の範囲を、状態変更後の前記表示領域に応じて抽出する画像データの範囲に決定し、前記所定の位置が前記表示手段の表示領域の下半分の領域に位置する場合には、状態変更前の前記表示領域に対応した範囲を前記一定の角度だけ時計方向に回転移動させた後の範囲を、状態変更後の前記表示領域に応じて抽出する画像データの範囲に決定することが好ましい。
【００１６】
本発明に従った携帯情報端末の制御方法は、表示手段が第１の状態および前記第１の状態とは異なる第２の状態となるように支持されている携帯情報端末の制御方法であって、仮想画面を生成するステップと、前記表示手段の状態を検出するステップと、前記表示手段の状態が前記第１の状態と前記第２の状態の一方から他方へ変更されたことを検出した場合に、状態変更前の前記表示手段の表示領域に対応して前記仮想画面から抽出されていた画像データの範囲に基づいて、状態変更後の前記表示領域に応じて前記仮想画面から抽出する画像データの範囲を決定するステップとを含むことを特徴とする。
【発明の効果】
【００１７】
本発明によれば、仮想画面から表示手段の表示領域に応じた範囲の画像データが抽出されるが、表示手段の状態が変更された場合、変更後の表示領域に応じた画像データの範囲は、状態が変更される前の範囲に基づいて決定される。
【００１８】
つまり、表示手段の状態が変更されても、変更後の表示領域に応じた範囲の画像データが抽出されるため、表示領域の一部を無駄にすることなく表示を行なうことができ、また、状態変更後の範囲は、状態変更前の範囲に基づいて決定されることから、変更後の表示対象と変更前の表示対象とを、関連付けさせることができる。
【発明を実施するための最良の形態】
【００１９】
以下、本発明の携帯情報端末の一実施形態である携帯電話機について、図面を参照しつつ説明する。
【００２０】
図１および図２は、本発明の一実施の形態である携帯電話機の斜視図である。携帯電話機１は、表示筐体２、操作筐体５、および、これらの筐体を連結させるヒンジ部３から主に構成される。そして、図１は、これらの筐体が閉じられた状態を示し、図２は、これらの筐体が展開された状態を示す。
【００２１】
図１および図２を参照して、表示筐体２には、折畳んだ状態で操作筐体５に対向する内面に、メイン表示部２ａおよび受話用レシーバ８が配置されている。メイン表示部２ａは、長方形形状に形成されており、その長手方向が表示筐体２の長手方向と一致するように配置されている。受話用レシーバ８は、表示筐体２におけるヒンジ部３と反対側の端部に配置されている。
【００２２】
操作筐体５には、折畳んだ状態で表示筐体２に対向する内面に、多数の操作キー４が配置されている。また、当該内面には、送話用マイクロホン７が配置されている。送話用マイクロホン７は、操作筐体５におけるヒンジ部３と反対側の端部に配置されている。
【００２３】
携帯電話機１は、折畳み式であることから、コンパクトに折畳んだ状態で携帯することができるとともに、筐体を展開させた状態では、ユーザがメイン表示部２ａの表示を見ながら操作キー４を押下操作することができる。ユーザは、携帯電話機１を図２に示すようにメイン表示部２ａを縦長状態として、送話用マイクロホン７に口を近づけるとともに受話用レシーバ８に耳を近づけて、良好に通話を行なうことができる。
【００２４】
すなわち、より品質のよい音声を送受信するためには、送話用マイクロホン７に口を近づけるとともに、受話用レシーバ８に耳を近づけるのが好ましく、そのためには、送話用マイクロホン７と受話用レシーバ８の距離をある程度確保する必要がある。携帯電話機１では、送話用マイクロホン７を操作筐体５におけるヒンジ部３と反対側の端部に配置し、受話用レシーバを表示筐体２におけるヒンジ部３と反対側の端部に配置することにより、メイン表示部２ａが縦長状態とされたときの送話用マイクロホン７と受話用レシーバ８の距離を確保することができるように構成されている。
【００２５】
ヒンジ部３は、操作筐体５に対して回動可能に連結される連結部３ａと、表示筐体２の外面に対向して表示筐体２を保持する保持部３ｂとが一体的に形成された構成を有している。連結部３ａは、保持部３ｂの一端において互いに一定間隔を隔てて突出するように形成された２つの円筒体からなる。操作筐体５の内面における長手方向の一端部には、短手方向に延びるように円筒体６が形成されており、この円筒体６が２つの連結部３ａの間に同一軸線上に配置され、互いに回転可能に取付けられることにより、ヒンジ部３が操作筐体５に対して回動可能に連結されている。
【００２６】
保持部３ｂは、矩形の板状に形成され、メイン表示部２ａを縦長状態としたときに、表示筐体２の外面におけるヒンジ部３側の半分程度に対向する。保持部３ｂは、表示筐体２をメイン表示部２ａに水平な面内で回転可能に保持しており、表示筐体２は、操作筐体５に対する傾斜角度を保った状態で回転できるようになっている。保持部３ｂの表示筐体２と反対側の外面には、主に筐体を閉じた状態で表示を行なうためのサブ表示部１１が配置されている。
【００２７】
図３および図４は、図２の携帯電話機１の表示筐体２を操作筐体５に対して図２に示された状態から回転させた状態を示した斜視図である。なお、図３では、図２に示された状態から時計回りに約４５°回転させた状態が示され、図４では、図２に示された状態から時計回りに９０°回転させた状態が示されている。ユーザは、操作筐体５を把持した状態で、表示筐体２をメイン表示部２ａに水平な面内において９０°の角度範囲内で回転させることにより、表示筐体２を回転させることができる。なお、本明細書では、図２に示されたメイン表示部２ａの状態を縦長状態（メイン表示部２ａの長手方向がほぼ鉛直方向に沿う状態）と言い、図４に示されたメイン表示部２ａの状態を横長状態（メイン表示部２ａの長手方向がほぼ水平方向に沿う状態）と言う。
【００２８】
携帯電話機１では、テレビ放送を視聴することができるようになっており、図２に示す状態から表示筐体２を回転させ、図３の状態を経て、図４に示すようにメイン表示部２ａを横長状態とすることにより、テレビ画像のアスペクト比に合致した横長状態のメイン表示部２ａにテレビ画像を良好に表示させることができる。メイン表示部２ａは、長辺と短辺の比が１６：９となる長方形形状に形成されており、この比は、一般的なテレビ放送に用いられるテレビ画像のアスペクト比と一致している。
【００２９】
図２の状態から表示筐体２を時計回りに回転させる場合、図３に示した状態となるまでは、ヒンジ部３の保持部３ｂ内に備えられた付勢手段により、表示筐体２に対して反時計回りに付勢力が左右するようになっている。したがって、図２に示された状態では、表示筐体２に対して反時計回りに作用する付勢力によって、外力が作用しない限り表示筐体２が図２に示された状態のまま維持されるようになっている。
【００３０】
一方、図３に示された状態を超えて表示筐体２がさらに時計回りに回転させられると、表示筐体２に作用する付勢力が時計回りに切換わり、図４に示された状態で表示筐体２が掛かり留めされる。これにより、外力が作用しない限り表示筐体２が図４に示された状態のまま維持されるようになっている。
【００３１】
本実施の形態では、携帯電話機１は、表示筐体２が、一定位置に固定された回転軸を中
心に回転するのではなく、表示筐体２の回転に伴って移動する回転軸を中心に回転するように構成されている。これにより、図２に示されるように長手方向の一端部が操作筐体５に近接した縦長の表示筐体２を９０°回転させても、図４に示されるように表示筐体２の短手方向の一端部が操作筐体５に近接し、コンパクトに横長状態とされメイン表示部２ａにテレビ画面を表示させてテレビ放送を視聴することができるようになっている。
【００３２】
また、操作筐体５を把持した状態のまま表示筐体２を縦長状態から横長状態に回転させることにより、携帯電話機１を持ち替えることなくテレビ放送を視聴することができる。このとき、表示筐体２に作用する付勢力により、表示筐体２を縦長状態と横長状態との間でスムーズに切換えることができるようになっている。
【００３３】
図５〜図７は、図２〜図４の状態における携帯電話機１の背面図であり、それぞれ保持部３ｂ内の構造を透視した状態で示されている。また、図８〜図１０は、図２〜図４の状態におけるヒンジ部３の正面図である。図５および図８は、図２に示された縦長状態に対応し、図６および図９は、表示筐体２を約４５°回転させた図３の状態に対応し、図７および図１０は、図４に示された横長状態に対応している。
【００３４】
図５〜図１０をさらに参照して、保持部３ｂ内には、矩形形状の保持板１６が配置されており、この保持板１６に表示筐体２が回転可能に保持されている。保持板１６には、横方向に円弧状に延びる円弧孔１２と、縦方向に直線方向に延びる直線孔１４とが形成されている。円弧孔１２の中央部の頂点は、直線孔１４の一端部に近接しており、この頂点における法線方向に直線孔１４が延びている。
【００３５】
円弧孔１２および直線孔１４には、それぞれ表示筐体２の背面側に形成された摺動軸１３および回転軸１５が回転可能に係合している。摺動軸１３および回転軸１５は、表示筐体２の背面に固定された軸保持部材１８に一体的に形成されており、それぞれ表示筐体２の中心に対してずれた位置に互いに一定間隔を隔てて配置されている。この軸保持部材１８は、保持部３ｂの前面に形成された開口３ｄを介して保持部３ｂ内の保持板１６に係合している。
【００３６】
軸保持部材１８は、付勢手段としてのばねの一例である捩りコイルばね２０を介して、保持板１６に固定されている。捩りコイルばね２０は、その一端部が軸保持部材１８の摺動軸１３に結合されるとともに、他端部が保持板１６に形成された取付軸１９に結合されている。取付軸１９は、円弧孔１２の頂点に対する法線上に回転可能に配置されている。表示筐体２には、ヒンジ部３側から延びるフレキシブル基板２１の端部が回転軸１５の近傍において取付けられており、このフレキシブル基板２１を介して、表示筐体２と操作筐体５とが電気的に接続されている。
【００３７】
図５および図８に示された縦長状態では、回転軸１５が直線孔１４の下端に当接し、摺動軸１３が円弧孔１２の一端に当接している。この状態では、捩りコイルばね２０により摺動軸１３が円弧孔１２の一端側に付勢されており、外力が作用しない限り表示筐体２がこの状態のまま維持されるようになっている。
【００３８】
この状態から表示筐体２をヒンジ部３に対して回転させると、回転軸１５が直線孔１４に沿って上方へ移動するとともに、摺動軸１３が円弧孔１２に沿って他端側へ移動する。このとき、捩りコイルばね２０も取付軸１９を中心に回転し、その一端部と他端部とが互いに近接するように縮められる。そして、図６および図９に示すように表示筐体２が約４５°回転された状態では、回転軸１５が直線孔１４の上端に当接し、摺動軸１３が円弧孔１２の頂点に到達する。
【００３９】
この状態では、捩りコイルばね２０の一端部と他端部とが最も近接した状態となり、さらに表示筐体２が回転されると、摺動軸１３および取付軸１９の左右の位置が逆転し、捩りコイルばね２０の一端部と他端部とが再び離れていく。したがって、表示筐体２は、図６および図９に示された回転位置を超えて回転されると、その後は捩りコイルばね２０の付勢力によってさらに回転され、図７および図１０に示されるような横長状態となる。
【００４０】
表示筐体２が横長状態のときには、回転軸１５が直線孔１４の下端に当接し、摺動軸１３が円弧孔１２の他端に当接している。この状態では捩りコイルばね２０により摺動軸１３が円弧孔１２の他端側に付勢されており、外力が作用しない限り表示筐体２がこの状態
のまま維持されるようになっている。
【００４１】
図１１は、携帯電話機１の電気的構成を模式的に示すブロック図である。携帯電話機１は、上述したメイン表示部２ａ、サブ表示部１１、受話用レシーバ８、送話用マイクロホン７、および、操作キー４に加えて、スピーカ９、外部入出力端子１０、通信部２３、テレビ放送受信部２４、回転位置検知部２５、および、メモリ２７を備えており、これらの動作は、プロセッサからなる制御部３０により制御される。
【００４２】
スピーカ９は、受話用レシーバ８から出力される場合よりも音声を増幅して出力することにより、表示筐体２から耳を離した状態で音声を聞くことができるようにするためのものである。また、外部出力端子１０にイヤホンマイクなどの外部入出力装置２６を接続すれば、その外部入出力装置２６を介して音声を入出力することができる。
【００４３】
受話用レシーバ８は、表示筐体２の内面にユーザが耳を当てた状態で使用されるのに対して、スピーカ９および外部入出力端子１０は、表示筐体２の内面からユーザが耳を離した状態で使用される。したがって、メイン表示部２ａに対するテレビ画像などの表示は、スピーカ９や外部入出力端子１０を使用しているときには見ることができるが、受話用レシーバ８を使用しているときには見ることができない。
【００４４】
スピーカ９を用いて相手方電話機との間で通話を行なう場合には、相手側電話機からの音声が増幅されてスピーカ９から出力されるとともに、送話用マイクロホン７からの入力信号が増幅されることにより、ユーザは、携帯電話機１を把持することなく、いわゆるハンズフリーで通話を行なうことができる。このとき、送話用マイクロホンからの入力信号は、ハウリングを防止するためのキャンセル回路に入力されるようになっている。受話用レシーバ８による通常の通話とハンズフリーによる通話との切換は、操作キー４の操作により行なうことができる。
【００４５】
外部入出力端子１０は、外部入出力装置２６の接続端子を着脱できるように構成されており、接続端子の着脱に基づいて、受話用レシーバ８による通常の通話と外部入出力装置２６による通話とが切換えられるようになっている。すなわち、外部入出力装置２６の接続端子を外部入出力端子１０に取付けることにより、通常の通話から外部入出力装置２６による通話に切換えることができ、外部入出力装置２６の接続端子を外部入出力端子１０から取外すことにより、受話用レシーバ８による通常の通話に戻すことができる。
【００４６】
通話部２３は、通信用アンテナ２３ａを介して基地局との間で電波の送受信を行なうことにより、通話音や電子メールの送受信を行なっている。相手方電話機との間で通話状態が確立された状態では、ユーザの通話音に基づく音声信号が通信部２３から送信され、相手方電話機からの通話音に基づく音声信号が通信部２３で受信されることにより、通話音がリアルタイムで送受信される。
【００４７】
電子メールを送受信する際には、電子メールの本文の内容である文字情報の他に、その電子メールの件名を表わす文字情報や送信元のメールアドレスなどの情報が、通信部２３において送受信される。すなわち、電子メールを送信する際には、この携帯電話機１のユーザが操作部４の操作により作成した電子メールの本文および件名の文字情報、ならびに、ユーザ側のメールアドレスなどのメール情報が、相手方の電話機やパーソナルコンピュータ（以下、これらの電子メールを送受信可能な相手方の通信端末を総称して「相手方通信端末」と呼ぶ）に送信される。一方、電子メールを受信する際には、相手方通信端末において作成された電子メールの本文および件名の文字情報、ならびに、相手方通信端末のメールアドレスなどのメール情報が受信される。
【００４８】
テレビ放送受信部２４は、テレビ放送受信用アンテナ２４ａを介して、テレビ局から発信されているテレビ放送波を受信するためのものである。テレビ局から発信されているテレビ放送波には、アナログ放送に対応したアナログ放送波と、デジタル放送に対応したデジタル放送波とが含まれる。このテレビ放送受信部２４が受信するデジタル放送波は、一般のデジタルハイビジョン放送波の一定帯域に割当てられた携帯電話機向けの１セグメント放送波であり、テレビ画像およびテレビ音声に加えて、そのテレビ画像に対応する字幕や関連する記事などの文字情報が含まれている。
【００４９】
テレビ放送受信部２４で受信したテレビ放送波に基づいて、メイン表示部２ａにテレビ
画像を表示するとともに、そのテレビ画像に対応するテレビ音声をスピーカ９または外部入出力端子１０から出力することにより、テレビ放送を視聴することができる。また、テレビ放送波に含まれる文字情報を抽出してメイン表示部２ａに表示させることにより、テレビ画像とともに字幕などの文字情報を表示させることができる。
【００５０】
回転位置検知部２５は、たとえば機械的または電気的なスイッチにより構成され、表示筐体２の回転位置を検知する。この回転位置検知部２５は、ユーザによる表示筐体２の回転操作を検出する回転操作検出手段である。
【００５１】
図１２は、携帯電話機１の制御ブロック図である。
図１２を参照して、携帯電話機１は、入力処理部５１、縦横検出器５２、表示領域設定部５３、表示領域情報記憶部５４、仮想画面情報記憶部５５、表示領域描画処理部５６、通信制御部５７、コンテンツキャッシュ５８、構文解析部５９、フレームバッファ６０、および、表示ドライバ部６１を含む。
【００５２】
入力処理部５１は、操作キー４に対してなされた操作に対応する情報を表示領域設定部５３に通知する。なお、携帯電話機１には操作キー４を構成するキーの他に、バーやトラックボール、タッチパネルなどの他の入力手段が備えられていてもよく、そして、入力処理部５１は、これらの入力手段に対する操作内容に対応した情報を表示領域設定部５３に通知するよう構成される。
【００５３】
縦横検出器５２は、回転位置検知部２５の出力に基づいて、メイン表示部２ａが、上記した縦長状態であるか横長状態であるかを検出し、表示領域設定部５３および表示ドライバ部６１に通知する。
【００５４】
表示領域設定部５３は、仮想画面情報記憶部５５から仮想画面の解像度を取出し、また、表示領域情報記憶部５４から現在表示している表示領域の基準位置や解像度、ポインタの位置情報を取出し、これらに基づいて、メイン表示部２ａに仮想画面上のどの領域を表示させるか（どういう領域を表示用に抽出するか）を制御する。また、表示領域設定部５３は、メイン表示部２ａに表示させる仮想画面中の領域を変更した場合、変更後の表示領域の基準座標を表示領域情報記憶部５４に格納させる。
【００５５】
表示領域情報記憶部５４は、現在の表示領域（メイン表示部２ａでの表示のために仮想画面からデータを抽出された領域）に関係する情報を格納するメモリから構成される。なお、現在の表示領域に関係する情報とは、たとえば、表示領域の解像度、表示領域の基準座標、および、メイン表示部２ａ上のフォーカス位置の中心座標、現在の仮想画面の解像度を含む。
【００５６】
表示領域描画処理部５６は、表示領域設定部５３において決定された表示領域に基づいて、コンテンツキャッシュ５８のＨＴＭＬ（Hyper Text Markup Language）コンテンツの解析結果を、仮想画面情報記憶部５５に格納された解像度の仮想画面に表示する情報として、そのうちの必要な表示領域のデータをフレームバッファ６０に格納する。
【００５７】
構文解析部５９は、コンテンツキャッシュ５８に記憶されたコンテンツを解析して、表示領域描画処理部５６に渡す。
【００５８】
コンテンツキャッシュ５８は、ネットワーク１００上にあるサーバから取得したコンテンツを格納するキャッシュメモリである。コンテンツキャッシュ５８には、制御部３０によって仮想画面が展開される。
【００５９】
通信制御部５７は、ネットワーク１００上にあるサーバからコンテンツなどを取得し、コンテンツキャッシュ５８に格納する。
【００６０】
フレームバッファ６０は、表示部（メイン表示部２ａ，サブ表示部１１）に表示する映像データを格納する。なお、本実施の形態では、主にメイン表示部２ａにおける表示内容について説明する。
【００６１】
表示ドライバ部６１は、フレームバッファ６０に格納されている映像データを、実際に表示部（メイン表示部２ａ，サブ表示部１１）に表示させる。
【００６２】
入力処理部５１、縦横検出器５２、表示領域設定部５３、表示領域描画処理部５６、構文解析部５９、および、表示ドライバ部６１は、制御部３０（図１１参照）が所定のプログラムを実行することによって構成される。なお、本発明に従った携帯情報端末では、こ
れらの各構成要素のすべてまたは一部が、専用のＬＳＩ（Large Scale Integration）などのハードウェアによって構成されてもよい。
【００６３】
また、通信制御部５７は、通信部２３および制御部３０から構成される。なお、これらの各構成要素についても、すべてまたは一部が専用のＬＳＩなどのハードウェアによって構成されてもよい。
【００６４】
また、携帯電話機１では、表示領域情報記憶部５４、および、仮想画面情報記憶部５５は、メモリ２７から構成される。コンテンツキャッシュ５８、および、フレームバッファ６０は、たとえば制御部３０内の図示せぬメモリによって構成される。
【００６５】
図１３は、携帯電話機１における仮想画面とメイン表示部２ａに表示される画像データとの関係を模式的に示す図である。なお、本実施の形態では、画像データとは、フォントや線や図形や写真や動画などの一般的なディスプレイで表示できる様々なデータを意味している。
【００６６】
図１３を参照して、仮想画面１１０は、左右方向（横方向）にＷの寸法を有し、上下方向（縦方向）にＨの寸法を有する。なお、図１３では、横方向をｘ方向とし縦方向をｙ方向としたｘ−ｙ平面が定義されており、仮想画面１１０の左上端が原点（座標（０，０））とされ、右下端の点が座標（Ｗ，Ｈ）とされている。
【００６７】
メイン表示部２ａに表示される画像データは、仮想画面１１０の中から、表示領域描画処理部５６によって適宜抽出される。図１３では、縦長状態に対応した表示領域１１１が実線で示されている。表示領域１１１は、その左上端の点が座標（Ｘａ，Ｙａ）とされ、また、横方向にＷ０の寸法を有し、縦方向にＨ０の寸法を有する。
【００６８】
本実施の形態では、メイン表示部２ａの状態が、縦長状態と横長状態との間で変更された場合、仮想画面１１０からメイン表示部２ａに表示するために抽出される領域のサイズおよび位置も変更される。
【００６９】
以下、本明細書では、状態を変更される前のメイン表示部２ａに対応した表示領域を表示領域１１１とし、状態を変更された後のメイン表示部２ａに対応する表示領域を表示領域１１２とする。
【００７０】
図１３では、変更前の表示領域１１１は、メイン表示部２ａの縦長状態に対応しており、また、状態を変更された後の表示領域１１２は、横長状態のメイン表示部２ａに対応している。
【００７１】
表示領域１１２は、横方向にＸＢの寸法を有し、縦方向にＹＢの寸法を有しており、その左上端の座標を（Ｘｂ，Ｙｂ）としている。
【００７２】
以下、本明細書では、図１３に示されるように、表示領域１１１，１１２の寸法について、縦長状態にある場合には、縦方向の寸法をＨ０とし、横方向の寸法をＷ０とする。また、横長状態にある場合には、縦方向の寸法をＨ１とし、横方向の寸法をＷ１とする。また、本明細書では、各図を参照しながら座標について言及する場合、右方向をｘ軸の正方向とし、また、下方向をｙ軸の正方向とする。
【００７３】
図１４〜図１８は、表示筐体２が回転されたことにより、メイン表示部２ａの状態が変化したことに応じて当該表示部における表示内容を変更するために実行される処理のフローチャートである。
【００７４】
まず図１４を参照して、縦横検出器５２によって表示筐体２の回転（縦長→横長、または、横長→縦長の状態の変更）が検出されると、制御部３０は、ステップＳ１０において、回転の方向を検出する。そして、回転の方向が横長状態から縦長状態へと回転されたものであると判断すると、ステップＳ１００へ処理を進め、縦長状態から横長状態への回転であると判断すると、ステップＳ２０へ処理を進める。
【００７５】
ステップＳ２０では、制御部３０は、表示領域情報記憶部５４に記憶させる表示領域の解像度を横×縦＝Ｗ１×Ｈ１に変更して、ステップＳ２１へ処理を進める。一方、ステップＳ１００では、制御部３０は、表示領域情報記憶部５４に記憶させる表示領域の解像度を、横×縦＝Ｘ×Ｙに変更して、ステップＳ１０１へ処理を進める。以上、ステップＳ２０およびステップＳ１００の処理により、表示領域情報記憶部５４に記憶される解像度が、状態を変更された後のメイン表示部２ａに合致したものに更新される。
【００７６】
制御部３０は、ステップＳ２１およびステップＳ１０１では、それぞれ、回転後表示領域の基準座標設定処理を実行する。当該処理のサブルーチンのフローチャートを図１５に示す。
【００７７】
図１５を参照して、回転後表示領域の基準座標設定処理では、ステップＳ２１Ａとして、制御部３０は、表示領域設定部５３において、変更後の表示領域の基準座標（（Ｘｂ，Ｙｂ））として（Ｘａ，Ｙａ）を設定する。
【００７８】
再度図１４を参照して、制御部３０は、ステップＳ２１の後ステップＳ２２へ処理を進め、また、ステップＳ１０１の後ステップＳ１０２へそれぞれ処理を進める。なお、本明細書では、表示領域の基準座標とは、表示領域の左上端の座標を言う。つまり、ステップＳ２１およびステップＳ１０１の処理により、Ｘｂ＝Ｘａ，Ｙｂ＝Ｙａとされる。
【００７９】
ステップＳ２２では、制御部３０は、変更後の表示領域の基準座標のｘ成分であるＸｂについて「０≦Ｘｂ」の関係にあるか否かを判断し、そのような関係にあると判断すればステップＳ２４へ処理を進め、そのような関係にはないと判断するとステップＳ２３へ処理を進める。なお、「０≦Ｘｂ」が満たされる場合とは、表示領域１１２の左端が仮想画面１１０内に位置することを意味する。
【００８０】
ステップＳ２３では、矩形（変更後の表示領域に対応して抽出する長方形形状）が、仮想画面１１０内に入るように、基準座標の「Ｘｂ＝０」とｘ成分を修正して、ステップＳ２４へ処理を進める。この修正により、変更後の表示領域に対応して抽出される長方形形状の左端が仮想画面１１０の左端と一致するように、基準座標のｘ成分が修正される。
【００８１】
ステップＳ２４では、制御部３０は、変更後の表示領域の基準座標のｘ成分であるＸｂについて「Ｘｂ＋Ｗ１≦Ｗ」の関係にあるか否かを判断し、そのような関係にあると判断すればステップＳ４０へ処理を進め、そのような関係にはないと判断するとステップＳ２５へ処理を進める。なお、「Ｘｂ＋Ｗ１」とは、基準座標のｘ成分がＸｂとされたときの表示領域１１２の右端のｘ方向の位置である。そして、「Ｘｂ＋Ｗ１≦Ｗ」が満たされる場合とは、表示領域１１２の右端が仮想画面１１０内に位置することを意味する。
【００８２】
ステップＳ２５では、制御部３０は、矩形（変更後の表示領域に対応して抽出する長方形形状）が、仮想画面１１０内に入るように、基準座標のｘ成分を修正して、ステップＳ４０へ処理を進める。なお、この場合の修正とは、次の式（１）に示すものである。
【００８３】
Ｘｂ＝Ｗ−Ｈ０…（１）
この修正により、変更後の表示領域に対応して抽出される長方形形状の右端が仮想画面１１０の右端と一致するように、基準座標のｘ成分が修正される。
【００８４】
図１６を参照して、ステップＳ４０では、制御部３０は、変更後の表示領域の基準座標のｙ成分であるＹｂについて「０≦Ｙｂ」の関係にあるか否かを判断し、このような関係にあると判断するとステップＳ６０へ処理を進め、このような関係にはないと判断すると、ステップＳ５０へ処理を進める。なお、「０≦Ｙｂ」が満たされる場合とは、表示領域１１２の上端が仮想画面１１０内に位置することを意味する。
【００８５】
ステップＳ５０では、制御部３０は、矩形（変更後の表示領域の長方形形状）が仮想画面１１０内に入るように基準座標のｙ成分を「Ｙｂ＝０」と修正して、ステップＳ６０へ処理を進める。この補正により、変更後の表示領域に対応して抽出される長方形形状の下端が仮想画面１１０の上端と一致するように、基準座標のｙ成分が修正される。
【００８６】
ステップＳ６０では、制御部３０は、変更後の表示領域の基準座標のｙ成分であるＹｂについて「Ｙｂ＋Ｈ１≦Ｈ」の関係にあるか否かを判断し、このような関係にあると判断するとステップＳ８０へ処理を進め、このような関係にはないと判断すると、ステップＳ７０へ処理を進める。なお、「Ｙｂ＋Ｈ１」とは、基準座標のｙ成分がＹｂとされたときの表示領域１１２の下端のｙ方向の位置である。そして、「Ｙｂ＋Ｈ１≦Ｈ」が満たされる場合とは、表示領域１１２の下端が仮想画面１１０内に位置することを意味する。
【００８７】
ステップＳ７０では、矩形（変更後の表示領域の長方形形状）が仮想画面１１０内に入るように基準座標のｙ成分を修正して、ステップＳ８０へ処理を進める。なお、ここで、基準座標のｙ成分の修正は、以下の式（２）によるものである。
【００８８】
Ｙｂ＝Ｈ−Ｗ０…（２）
この補正により、変更後の表示領域に対応して抽出される長方形形状の下端が仮想画面１１０の下端と一致するように、基準座標のｙ成分が修正される。
【００８９】
ステップＳ８０では、基準座標に基づいて仮想画面上に設定される表示領域の映像を描画処理して、ステップＳ９０へ処理を進める。
【００９０】
ステップＳ９０では、制御部３０は、描画する映像をメイン表示部２ａに転送して、処理を終了する。
【００９１】
図１７を参照して、制御部３０は、ステップＳ１０２では、制御部３０は、変更後の表示領域の基準座標のｘ成分であるＸｂについて「０≦Ｘｂ」の関係にあるか否かを判断し、そのような関係にあると判断すればステップＳ１０４へ処理を進め、そのような関係にはないと判断するとステップＳ１０３へ処理を進める。なお、「０≦Ｘｂ」が満たされる場合とは、表示領域１１２の左端が仮想画面１１０内に位置することを意味する。
【００９２】
ステップＳ１０３では、矩形（変更後の表示領域に対応して抽出する長方形形状）が、仮想画面１１０内に入るように、基準座標の「Ｘｂ＝０」とｘ成分を修正して、ステップＳ１０４へ処理を進める。この修正により、変更後の表示領域に対応して抽出される長方形形状の左端が仮想画面１１０の左端と一致するように、基準座標のｘ成分が修正される。
【００９３】
ステップＳ１０４では、制御部３０は、変更後の表示領域の基準座標のｘ成分であるＸｂについて「Ｘｂ＋Ｗ０≦Ｗ」の関係にあるか否かを判断し、そのような関係にあると判断すればステップＳ１２０へ処理を進め、そのような関係にはないと判断するとステップＳ１０５へ処理を進める。なお、「Ｘｂ＋Ｗ０」とは、基準座標のｘ成分がＸｂとされたときの表示領域１１２の右端のｘ方向の位置である。そして、「Ｘｂ＋Ｗ０≦Ｗ」が満たされる場合とは、表示領域１１２の右端が仮想画面１１０内に位置することを意味する。
【００９４】
ステップＳ１０５では、制御部３０は、矩形（変更後の表示領域に対応して抽出する長方形形状）が、仮想画面１１０内に入るように、基準座標のｘ成分を修正して、ステップＳ１２０へ処理を進める。なお、この場合の修正とは、次の式（３）に示すものである。
【００９５】
Ｘｂ＝Ｗ−Ｈ１…（３）
この修正により、変更後の表示領域に対応して抽出される長方形形状の右端が仮想画面１１０の右端と一致するように、基準座標のｘ成分が修正される。
【００９６】
図１８を参照して、ステップＳ１２０では、制御部３０は、変更後の表示領域の基準座標のｘ成分であるＸｂについて「０≦Ｙｂ」の関係にあるか否かを判断し、そのような関係にあると判断すればステップＳ１４０へ処理を進め、そのような関係にはないと判断するとステップＳ１３０へ処理を進める。なお、「０≦Ｙｂ」が満たされる場合とは、表示領域１１２の上端が仮想画面１１０内に位置することを意味する。
【００９７】
ステップＳ１３０では、矩形（変更後の表示領域に対応して抽出する長方形形状）が、仮想画面１１０内に入るように、基準座標のｙ成分を「Ｙｂ＝０」と修正して、ステップＳ６０へ処理を進める。この修正により、変更後の表示領域に対応して抽出される長方形形状の右端が仮想画面１１０の下端と一致するように、基準座標のｙ成分が修正される。
【００９８】
ステップＳ１４０では、制御部３０は、変更後の表示領域の基準座標のｙ成分であるＹｂについて「Ｙｂ＋Ｈ０≦Ｈ」の関係にあるか否かを判断し、このような関係にあると判断するとステップＳ１６０へ処理を進め、このような関係にはないと判断すると、ステップＳ１５０へ処理を進める。なお、「Ｙｂ＋Ｈ０」とは、基準座標のｙ成分がＹｂとされたときの表示領域１１２の下端のｙ方向の位置である。そして、「Ｙｂ＋Ｈ０≦Ｈ」が満たされる場合とは、表示領域１１２の下端が仮想画面１１０内に位置することを意味する。
【００９９】
ステップＳ１５０では、矩形（変更後の表示領域の長方形形状）が仮想画面１１０内に入るように基準座標のｙ成分を修正して、ステップＳ９０へ処理を進める。なお、ここで、基準座標のｙ成分の修正は、以下の式（４）によるものである。
【０１００】
Ｙｂ＝Ｈ−Ｗ１…（４）
この補正により、変更後の表示領域に対応して抽出される長方形形状の下端が仮想画面１１０の下端と一致するように、基準座標のｙ成分が修正される。
【０１０１】
ステップＳ１６０では、基準座標に基づいて仮想画面上に設定される表示領域の映像を描画処理して、ステップＳ１７０へ処理を進める。そして、ステップＳ１７０では、制御部３０は、描画する映像をメイン表示部２ａに転送して、処理を終了する。
【０１０２】
以上説明した本実施の形態によれば、メイン表示部２ａが縦長状態から横長状態へと変更された場合には、図１９（Ａ）に示されるように、仮想画面１１０からメイン表示部２ａに表示するために抽出される表示領域は、その左上端の点（点Ｐ１）が共通するように変更される。このことは、図１９（Ａ）において、仮想画面１１０中の表示領域１１１の左上端の点と表示領域１１２の左上端の点とが一致していることによって示されている。
【０１０３】
また、本実施の形態によれば、メイン表示部２ａが横長状態から縦長状態へと変更された場合には、図１９（Ｂ）に示されるように、仮想画面１１０からメイン表示部２ａに表示するために抽出される表示領域は、その左上端の点（点Ｐ２）が共通するように変更される。このことは、図１９（Ｂ）において、仮想画面１１０中の表示領域１１１の左上端の点と表示領域１１２の左上端の点とが一致していることによって示されている。
【０１０４】
なお、本発明に従った携帯情報端末では、変更後の表示領域は、少なくとも変更前の表示領域の位置に基づいて決定されればよい。
【０１０５】
つまり、必ずしも、図１９（Ａ）および図１９（Ｂ）に示されたように左上端の点を共有する必要はない。
【０１０６】
つまり、たとえば、図２０（Ａ）または図２０（Ｂ）に示されるように、変更後の表示領域は、その中心点（点Ｐ３または点Ｐ４）が、変更前の表示領域の中心点と共通となるように決定されてもよい。なお、図２０（Ａ）は、縦長状態から横長状態への変更に対応した表示領域の変更を示し、図２０（Ｂ）は、横長状態から縦長状態への変更に対応した表示領域の変更を示している。そして、図２０（Ａ）および図２０（Ｂ）に示されたように変更後の表示領域が決定される場合、図１５に示された回転後表示領域の基準座標設定処理は、図２１に示される処理に置換される。
【０１０７】
図２１を参照して、ステップＳ２１Ｂでは、制御部３０は、基準座標のｘ成分（Ｘｂ）を、次の式（５）のように設定する。
【０１０８】
Ｘｂ＝Ｘａ−（｜Ｗ１−Ｗ０｜）／２…（５）
また、ステップＳ４１では、制御部３０は、基準座標のｙ成分（Ｙｂ）を、次の式（７）または式（６）のように設定する。
【０１０９】
Ｙｂ＝Ｙａ−（｜Ｈ１−Ｈ０｜）／２…（６）
また、本発明に従った携帯情報端末では、以上説明したように、変更後の表示領域の左上端の点または中心点のような特定の位置の座標が変更前の表示領域と一致するように設定されなくてもよい。たとえば、図２２（Ａ）または図２２（Ｂ）に示されるように、表示領域１１１中の点Ｐ５または点Ｐ６を回転中心として、メイン表示部２ａの回転角だけ表示領域１１１を回転させることによって、表示領域１１２が決定されてもよい。なお、図２１において、点Ｐ５および点Ｐ６は、たとえば、メイン表示部２ａにおいてフォーカスが当たっている領域（図２２（Ａ）中の領域１１１Ａ）の縦方向および横方向の中心点（以下、「フォーカス中心」と呼ぶ）とすることができる。なお、フォーカスが当てられている領域とは、たとえば、メールアドレスやＵＲＬ（Uniform Resource Locator）が選択されることにより、それらを構成する文字列を含む矩形領域が反転表示されている場合、当該反転表示されている領域を言う。
【０１１０】
また、このような回転移動によって表示領域１１２を決定する場合、表示領域１１１におけるフォーカス中心の位置に応じて、回転方向を変更しても良い。具体的には、フォーカス位置が、図２２（Ａ）および図２２（Ｂ）に示すように表示領域１１１の上下方向の上半分の領域にある場合には、表示領域１１１を、これらの図において矢印で示すように反時計方向にメイン表示部２ａの回転角だけ回転移動させた領域を、表示領域１１２とすることが好ましい。図２３（Ａ）および図２３（Ｂ）には、それぞれ、表示領域１１１におけるフォーカス位置が点Ｐ７，点Ｐ８で示されている。そして、フォーカス位置が図２３（Ａ）および図２３（Ｂ）に示すように表示領域１１１の上下方向の下半分の領域にある場合には、表示領域１１１を、これらの図において矢印で示すように時計方向にメイン
表示部２ａの回転角だけ回転移動させた領域を、表示領域１１２とすることが好ましい。
【０１１１】
図２２（Ａ）および図２２（Ｂ）ならびに図２３（Ａ）および図２３（Ｂ）に示したように表示領域１１２を得ることにより、表示領域１１２が横長状態のときにはフォーカス位置が表示領域１１２の左半分に位置し、表示領域１１２が縦長状態のときにはフォーカス位置が表示領域１１２の上半分に位置するようになる。なお、一般的に、人は左上から文字を読む。つまり、このように表示領域１１２を得ることにより、ユーザが、メイン表示部２ａの状態の変更に伴って表示内容が変更された場合であっても、変更後の表示内容からフォーカス位置を容易に見つけられるようになる。
【０１１２】
図２２および図２３に示されたように変更後の表示領域が決定される場合、図１５に示された回転後表示領域の基準座標設定処理は、図２４（Ａ）および図２４（Ｂ）に示される処理に置換される。なお、図２４（Ａ）に示されたフローチャートは、縦長状態から横長状態に回転される場合、つまり、ステップＳ２１として実行される処理のフローチャートである。また、図２４（Ｂ）に示されたフローチャートは、横長状態から縦長状態に回転される場合、つまり、ステップＳ１０１として実行される処理のフローチャートである。また、以下の説明では、点Ｐ５〜点Ｐ８として示した回転中心の点の座標を（Ｘｐ，Ｙｐ）として説明する。また、携帯電話機１では、このような座標（Ｘｐ，Ｙｐ）は、周知の技術から求められる。
【０１１３】
図２４（Ａ）を参照して、ステップＳ３１Ａでは、制御部３０は、回転中心の座標のｙ成分であるＹｐが以下の式（７）の関係を満たすか否かを判断し、満たすと判断するとステップＳ３２Ａへ、満たさないと判断するとステップＳ３３Ａへ、それぞれ処理を進める。
【０１１４】
Ｙｐ≦Ｙａ＋Ｈ０／２…（７）
これにより、回転中心が変更前の表示領域１１１の上下方向の上半分の領域に位置する場合には、ステップＳ３２Ａへ処理が進められ、下半分の領域に位置する場合には、ステップＳ３３Ａへ処理が進められる。
【０１１５】
ステップＳ３２Ａでは、制御部３０は、変更後の表示領域１１２のｘ座標（Ｘｂ）を、以下の式（８）に従って算出する。
【０１１６】
Ｘｂ＝Ｘｐ−（Ｙｐ＋Ｙ０）…（８）
また、ステップＳ３２Ａでは、制御部３０は、変更後の表示領域１１２のｙ座標（Ｙｂ）を、以下の式（９）に従って算出する。
【０１１７】
Ｙｂ＝Ｙｐ−｛（Ｘａ＋Ｗ０）−Ｘｐ｝…（９）
一方、ステップＳ３３Ａでは、制御部３０は、変更後の表示領域１１２のｘ座標（Ｘｂ）を、以下の式（１０）を用いて算出する。
【０１１８】
Ｘｂ＝Ｘｐ−｛（Ｙａ＋Ｈ０）−Ｙｐ｝…（１０）
また、ステップＳ３３Ａでは、制御部３０は、変更後の表示領域１１２のｙ座標（Ｙｂ）を、以下の式（１１）を用いて算出する。
【０１１９】
Ｙｂ＝Ｙｐ−（Ｘｐ＋Ｘａ）…（１１）
一方、図２４（Ｂ）を参照して、ステップＳ３１Ｂでは、制御部３０は、回転中心の座標のｙ成分であるＹｐが以下の式（１２）の関係を満たすか否かを判断し、満たすと判断するとステップＳ３２Ｂへ、満たさないと判断するとステップＳ３３Ｂへ、それぞれ処理を進める。
【０１２０】
Ｙｐ≦Ｙａ＋Ｈ１／２…（１２）
これにより、回転中心が変更前の表示領域１１１の上下方向の上半分の領域に位置する場合には、ステップＳ３２Ｂへ処理が進められ、下半分の領域に位置する場合には、ステップＳ３３Ｂへ処理が進められる。
【０１２１】
ステップＳ３２Ｂでは、制御部３０は、変更後の表示領域１１２のｘ座標（Ｘｂ）を、以下の式（１３）に従って算出する。
【０１２２】
Ｘｂ＝Ｘｐ−（Ｙｐ＋Ｙ０）…（１３）
また、ステップＳ３２Ｂでは、制御部３０は、変更後の表示領域１１２のｙ座標（Ｙｂ）を、以下の式（１４）に従って算出する。
【０１２３】
Ｙｂ＝Ｙｐ−｛（Ｘａ＋Ｗ１）−Ｘｐ｝…（１４）
一方、ステップＳ３３Ｂでは、制御部３０は、変更後の表示領域１１２のｘ座標（Ｘｂ）を、以下の式（１５）を用いて算出する。
【０１２４】
Ｘｂ＝Ｘｐ−｛（Ｙａ＋Ｈ１）−Ｙｐ｝…（１５）
また、ステップＳ３３Ｂでは、制御部３０は、変更後の表示領域１１２のｙ座標（Ｙｂ）を、以下の式（１６）を用いて算出する。
【０１２５】
Ｙｂ＝Ｙｐ−（Ｘｐ＋Ｘ０）…（１６）
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２６】
【図１】本発明の一実施形態である携帯電話機の、閉じられた状態の斜視図である。
【図２】図１の携帯電話機の筐体の展開された状態の斜視図である。
【図３】図２の携帯電話機の表示筐体を、図２に示された状態から時計回りに約４５°回転させた状態を示す斜視図である。
【図４】図２の携帯電話機の表示筐体を、図２に示された状態から時計回りに９０°回転させた状態を示す斜視図である。
【図５】図２の携帯電話機の背面図である。
【図６】図３の携帯電話機の背面図である。
【図７】図４の携帯電話機の背面図である。
【図８】図２の携帯電話機におけるヒンジ部の正面図である。
【図９】図３の携帯電話機におけるヒンジ部の正面図である。
【図１０】図４の携帯電話機におけるヒンジ部の正面図である。
【図１１】図１の携帯電話機の電気的構成を模式的に示す図である。
【図１２】図１の携帯電話機の制御ブロック図である。
【図１３】図１の携帯電話機における仮想画面およびメイン表示部に対応した表示領域を模式的に示す図である。
【図１４】図１の携帯電話機においてメイン表示部の状態の変更に応じて当該メイン表示部の表示内容を変更するための処理のフローチャートである。
【図１５】図１の携帯電話機においてメイン表示部の状態が変更されたことに応じて当該メイン表示部の表示内容を変更するための処理のフローチャートである。
【図１６】図１の携帯電話機においてメイン表示部の状態が変更されたことに応じて当該メイン表示部の表示内容を変更するための処理のフローチャートである。
【図１７】図１の携帯電話機においてメイン表示部の状態が変更されたことに応じて当該メイン表示部の表示内容を変更するための処理のフローチャートである。
【図１８】図１の携帯電話機においてメイン表示部の状態が変更されたことに応じて当該メイン表示部の表示内容を変更するための処理のフローチャートである。
【図１９】図１の携帯電話機におけるメイン表示部の状態の変更に応じた表示領域の変更の態様の一例を示す図である。
【図２０】図１の携帯電話機におけるメイン表示部の状態の変更に応じた表示領域の変更の態様の他の例を示す図である。
【図２１】図１５に示した処理（回転後表示領域の基準座標設定処理）の変形例を示す図である。
【図２２】図１の携帯電話機におけるメイン表示部の状態の変更に応じた表示領域の変更の態様のさらに他の例を示す図である。
【図２３】図１の携帯電話機におけるメイン表示部の状態の変更に応じた表示領域の変更の態様のさらに他の例を示す図である。
【図２４】図１５に示した処理（回転後表示領域の基準座標設定処理）の他の変形例を示す図である。
【図２５】従来の携帯情報端末における表示部の状態の変更に応じた当該表示部における表示内容の変更態様の一例を説明するための図である。
【図２６】従来の携帯情報端末における表示部の状態の変更に応じた当該表示部における表示内容の変更態様の他の例を説明するための図である。
【符号の説明】
【０１２７】
１  携帯電話機、２  表示筐体、２ａ  メイン表示部、２ｂ  テレビ画像表示領域、２ｃ  スクロール表示領域、２ｄ  テレビ画像表示領域、２ｅ  メール表示領域、３  ヒンジ部、４  操作キー、５  操作筐体、７  送話用マイクロホン、８  受話用レシーバ、９
スピーカ、１０  外部入出力端子、２３  通信部、２３ａ  通信用アンテナ、２４  テレビ放送受信部、２４ａ  テレビ放送受信用アンテナ、２５  回転位置検知部、２６  外部入出力装置、２７  メモリ、３０  制御部、３１  文字情報抽出部、３２  スクロール表示部、５１  入力処理部、５２  縦横検出器、５３  表示領域設定部、５４  表示領域情報記憶部、５５  仮想画面情報記憶部、５６  表示領域描画処理部、５７  通信制御部、５８  コンテンツキャッシュ、５９  構文解析部、６０  フレームバッファ、６１  表示ドライバ部、１１０  仮想画面、１１１，１１２  表示領域。
【図１】
2008118286.tif 000003
【図２】
2008118286.tif 000004
【図３】
2008118286.tif 000005
【図４】
2008118286.tif 000006
【図５】
2008118286.tif 000007
【図６】
2008118286.tif 000008
【図７】
2008118286.tif 000009
【図８】
2008118286.tif 000010
【図９】
2008118286.tif 000011
【図１０】
2008118286.tif 000012
【図１１】
2008118286.tif 000013
【図１２】
2008118286.tif 000014
【図１３】
2008118286.tif 000015
【図１４】
2008118286.tif 000016
【図１５】
2008118286.tif 000017
【図１６】
2008118286.tif 000018
【図１７】
2008118286.tif 000019
【図１８】
2008118286.tif 000020
【図１９】
2008118286.tif 000021
【図２０】
2008118286.tif 000022
【図２１】
2008118286.tif 000023
【図２２】
2008118286.tif 000024
【図２３】
2008118286.tif 000025
【図２４】
2008118286.tif 000026
【図２５】
2008118286.tif 000027
【図２６】
2008118286.tif 000028
【手続補正書】
【提出日】平成19年12月17日(2007.12.17)
【手続補正１】
【補正対象書類名】明細書
【補正対象項目名】００９６
【補正方法】変更
【補正の内容】
【００９６】
図１８を参照して、ステップＳ１２０では、制御部３０は、変更後の表示領域の基準座標のｙ成分であるＹｂについて「０≦Ｙｂ」の関係にあるか否かを判断し、そのような関係にあると判断すればステップＳ１４０へ処理を進め、そのような関係にはないと判断するとステップＳ１３０へ処理を進める。なお、「０≦Ｙｂ」が満たされる場合とは、表示領域１１２の上端が仮想画面１１０内に位置することを意味する。
【手続補正２】
【補正対象書類名】明細書
【補正対象項目名】０１０８
【補正方法】変更
【補正の内容】
【０１０８】
Ｘｂ＝Ｘａ−（｜Ｗ１−Ｗ０｜）／２…（５）
また、ステップＳ４１では、制御部３０は、基準座標のｙ成分（Ｙｂ）を、次の式（６）のように設定する。
【手続補正３】
【補正対象書類名】明細書
【補正対象項目名】０１０９
【補正方法】変更
【補正の内容】
【０１０９】
Ｙｂ＝Ｙａ−（｜Ｈ１−Ｈ０｜）／２…（６）
また、本発明に従った携帯情報端末では、以上説明したように、変更後の表示領域の左上端の点または中心点のような特定の位置の座標が変更前の表示領域と一致するように設定されなくてもよい。たとえば、図２２（Ａ）または図２２（Ｂ）に示されるように、表示領域１１１中の点Ｐ５または点Ｐ６を回転中心として、メイン表示部２ａの回転角だけ表示領域１１１を回転させることによって、表示領域１１２が決定されてもよい。なお、図２２（Ａ）および図２２（Ｂ）において、点Ｐ５および点Ｐ６は、たとえば、メイン表示部２ａにおいてフォーカスが当たっている領域（図２２（Ａ）中の領域１１１Ａ）の縦方向および横方向の中心点（以下、「フォーカス中心」と呼ぶ）とすることができる。なお、フォーカスが当てられている領域とは、たとえば、メールアドレスやＵＲＬ（Uniform Resource Locator）が選択されることにより、それらを構成する文字列を含む矩形領域が反転表示されている場合、当該反転表示されている領域を言う。